(57)【特許請求の範囲】
【請求項１】
複数の光学素子を有し、画像形成素子からの光を被投射面に投射する投射光学系であって、
前記被投射面とは異なる面上に、前記画像形成素子からの光を結像する性能を有する第１光学ブロックと、
前記第１光学ブロックよりも前記被投射面側に、少なくとも１つの曲率を有する反射面を備え、前記第１光学ブロックを介した光を前記被投射面に導く第２光学ブロックと、
前記第１光学ブロックと前記第２光学ブロックとの間に、前記第１光学ブロックの射出瞳位置もしくはその近傍で前記第１光学ブロックの光軸上の点を中心にして回転可能な反射部材を含む第３光学ブロックと、を有しており、
前記反射部材を、前記第１光学ブロックの光軸上の点を中心にして回転させることによって、前記投射光学系により投射される前記画像形成素子の像を移動させることを特徴とする投射光学系。
【請求項２】
前記第２光学ブロックは、前記被投射面とは異なる位置に前記画像形成素子上に形成された像の中間像を形成することを特徴とする請求項１に記載の投射光学系。
【請求項３】
前記中間像が、前記第２光学ブロックが有する少なくとも１つの反射面のうち、最も前記被投射面側の反射面よりも、前記画像形成素子側に形成されることを特徴とする請求項２に記載の投射光学系。
【請求項４】
前記第２光学ブロックが複数の曲率を有する反射面を備えており、前記複数の反射面のうち最も前記被投射面側の反射面と、前記被投射面側から数えて２番目の反射面との間に、前記中間像が形成されることを特徴とする請求項２又は３に記載の投射光学系。
【請求項５】
前記第２光学ブロックが有する少なくとも１つの反射面のうち、最も前記被投射面側の反射面が凹面であることを特徴とする請求項１から４のいずれか１つに記載の投射光学系。
【請求項６】
前記第１光学ブロックが、前記第１光学ブロックの射出瞳位置で前記第１光学ブロックの光軸上の点を曲率中心とする球面上に前記画像形成素子からの光を結像する性能を有することを特徴とする請求項１から５のいずれか１つに記載の投射光学系。
【請求項７】
請求項１から６のいずれか１つに記載の投射光学系を有し、該投射光学系により前記画像形成素子からの光を前記被投射面に投射することを特徴とする投射型画像表示装置。
【請求項８】
請求項７に記載の投射型画像表示装置と、
該投射型画像表示装置に対して、前記画像形成素子に原画を形成させるための画像情報を供給する画像情報供給装置とを有することを特徴とする画像表示システム。
【発明の詳細な説明】
【０００１】
【発明の属する技術分野】
本発明は、投射光学系に関し、特に液晶や、デジタルマイクロミラーデバイスに代表される画像形成素子を用いた投射光学系及びその投射光学系を有する光学機器、特に投射型画像表示装置に関する。
【０００２】
【従来の技術】
プロジェクションに用いられる投射光学系において、観察者の視界を妨げることなく画像投射を行うためにスクリーンに対して斜めに投射が可能な投射（投射）光学系の提案がなされている。また、スクリーンに対して斜めに画像を投射することで、投射画像にいわゆる台形歪みが生じるので、この台形歪みを補正する提案もなされている。下記特許文献１にて提案されている投射光学系は、共軸回転対称f-θレンズの応用であり、絞りを中心に群を回転偏心させることにより像の台形歪みがない状態で、像面を回転させるものである。また、下記特許文献２にて提案の投射光学系では、偏心非球面を用いて固定の投射角度で台形歪みを補正している。
【０００３】
一方、非共軸光学系において、下記特許文献３にその設計法や焦点距離等の近軸量の計算方法が、特許文献４、特許文献５および特許文献６にその設計例が示されるように、基準軸という概念を導入し、構成面を非対称非球面にすることで、十分収差が補正された光学系が構築可能であることが明らかになってきた。
【０００４】
こうした非共軸光学系はOff-Axial光学系(像中心と瞳中心を通る光線に沿った基準軸を考えた時、構成面の基準軸との交点における面法線が基準軸上にない曲面（Off-Axial曲面）を含む光学系として定義される光学系で、基準軸は折れ曲がった形状となる)と呼ばれる。
【０００５】
このOff-Axial光学系は、構成面が一般には非共軸となり、反射面でもケラレが生じることがないため、反射面を使った光学系の構築がしやすい。また、光学系内で中間像を形成することにより、広画角でありながらコンパクトな光学系を構成している。さらに、前絞りの光学系でありながら、光路の引き回しが比較的自由に行えるためにコンパクトな光学系が構成できる。
【０００６】
これらの特徴を生かして、下記特許文献７および特許文献８には、曲率を有する回転非対称反射面を用いて固定の投射角度で台形歪みを補正した投射光学系が提案されている。
【０００７】
【特許文献１】
特開平０９−３０４７３３号公報
【特許文献２】
特開平１０−２８２４５１号公報
【特許文献３】
特開平０９−００５６５０号公報
【特許文献４】
特開平０８−２９２３７１号公報
【特許文献５】
特開平０８−２９２３７２号公報
【特許文献６】
特開平０９−２２２５６１号公報
【特許文献７】
特開２００１−２５５４６２号公報
【特許文献８】
特開２０００−０８９２２７号公報
【０００８】
【発明が解決しようとする課題】
上記特許文献１にて提案の投射光学系は、共軸回転対称f-θ光学系を組み合わせたものであるが、画角が狭いので、通常のプロジェクタ等には適用が困難である。また、通常のレンズでは光軸から画角が大きくなるに従って光量が落ちてくるため、広画角のレンズ系を使用すればするほど像面上の明るさに差が出てしまう。このため、特許文献１にて提案の投射光学系は、広画角かつ明るい像面が必要とされるプロジェクタには不向きである。
【０００９】
また、特許文献２にて提案の投射光学系は、偏心非球面により台形歪みを補正するものであるが、ある固定の投射角度でのみ台形歪み補正が可能な投射光学系であるので、投射装置の設置位置の自由度が損なわれている。さらに、画面のシフト量が小さく、液晶パネルに対してテレセントリックでない点からもプロジェクタには不向きである。
【００１０】
また、特許文献３および４にて提案の投射光学系は、曲率を有する回転非対称反射面を用いて広画角の台形歪み補正を実現しているが、ある固定の投射角度でのみ台形歪み補正が可能な投射光学系であるので、これも投射装置の設置位置の自由度が損なわれている。
【００１１】
本発明は、仕様範囲内の任意の像位置において歪みのない像を得る投射角が可変な投射光学系およびそれを有する投射型表示装置を提案することを目的とする。
【００１２】
【課題を解決するための手段】
本発明の投射光学系は、複数の光学素子を有し、画像形成素子からの光を被投射面に投射する投射光学系であって、前記被投射面とは異なる面上に、前記画像形成素子からの光を結像する性能を有する第１光学ブロックと、前記第１光学ブロックよりも前記被投射面側に、少なくとも１つの曲率を有する反射面を備え、前記第１光学ブロックを介した光を前記被投射面に導く第２光学ブロックと、前記第１光学ブロックと前記第２光学ブロックとの間に、前記第１光学ブロックの射出瞳位置もしくはその近傍で前記第１光学ブロックの光軸上の点を中心にして回転可能な反射部材を含む第３光学ブロックと、を有する。そして、前記反射部材を、前記第１光学ブロックの光軸上の点を中心にして回転させることによって、前記投射光学系により投射される前記画像形成素子の像を移動させることを可能にしている。
【００１３】
【発明の実施の形態】
実施形態の説明に入る前に、各実施形態における構成諸元の表し方及び実施形態全体の共通事項について説明する。図５２は各実施形態の光学系の構成データを定義する座標系の説明図である。各実施形態では物体側から像面に進む１つの光線（図５２中の一点鎖線で示すもので基準軸光線と呼ぶ）に沿ってｉ番目の面を第ｉ面とする。
【００１４】
図５２において第１面R1は屈折面、第2面R2は第1面R1に対してチルトした反射面、第3面R3、第4面R4は各々の前面に対してシフト、チルトした反射面、第5面R5は第4面R4に対してシフト、チルトした屈折面である。第1面R1から第5面R5までの各々の面はガラス、プラスチック等の媒質で構成される一つの光学素子上に構成されており、図５２中では第１の光学素子Bとしている。
【００１５】
従って、図５２の構成では不図示の物体面から第1面R1までの媒質は空気、第1面R1から第5面R5まではある共通の媒質、第5面R5から不図示の第6面R6までの媒質は空気で構成している。
【００１６】
各実施形態の光学系はOff-Axial光学系であるため、光学系を構成する各面は共通の光軸を持っていない。そこで、各実施形態においてはまず第１面の中心を原点とする絶対座標系を設定する。
【００１７】
そして、各実施形態においては、第１面の中心点を原点とすると共に、原点と最終結像面の中心とを通る光線（基準軸光線）の経路を光学系の基準軸と定義している。さらに、各実施形態中の基準軸は方向（向き）を持っている。その方向は基準軸光線が結像に際して進行する方向である。
【００１８】
各実施形態においては、光学系の基準となる基準軸を上記の様に設定したが、光学系の基準となる軸の決め方は光学設計上、収差の取り纏め上、若しくは光学系を構成する各面形状を表現する上で都合の良い軸を採用すればよい。しかし、一般的には像面の中心と、絞り又は入射瞳又は射出瞳又は光学系の第１面の中心若しくは最終面の中心のいずれかを通る光線の経路を光学系の基準となる基準軸に設定する。
【００１９】
つまり、各実施形態においては、基準軸は第１面の中心点を通り、最終結像面の中心へ至る光線（基準軸光線）が各屈折面及び反射面によって屈折・反射する経路を基準軸に設定している。各面の順番は基準軸光線が屈折・反射を受ける順番に設定している。
【００２０】
従って、基準軸は設定された各面の順番に沿って屈折若しくは反射の法則に従ってその方向を変化させつつ、最終的に像面の中心に到達する。また、各実施形態において物体面側、画像表示パネル面側、及び所定像面側、像面側、スクリーン側等とは、基準軸の方向に対してどちら側であるかを意味している。
【００２１】
各実施形態における光学系の絶対座標系の各軸を以下のように定める。
【００２２】
Z軸：原点と物体面中心を通る直線。物体面から第１面R1に向かう方向を正とする
Y軸：原点を通り右手座標系の定義に従ってZ 軸に対して反時計回りに90゜をなす直線
X軸：原点を通りZ、Y各軸に垂直な直線
また、光学系を構成する第ｉ面の面形状及びチルト角を表すには、絶対座標系にてその面の形状及びチルト角を表記するより、基準軸と第ｉ面が交差する点を原点とするローカル座標系を設定して、ローカル座標系でその面の面形状を表し、基準軸とローカル座標系の成す角でチルト角を表した方が形状を認識する上で理解し易いため、第ｉ面の面形状を以下のローカル座標系で表す。このためにまず基準軸上の任意の点に対して以下の基準軸上座標系を設定する。
【００２３】
zb軸：基準軸上の任意の点を通り、基準軸の方向を正とする。基準軸の偏向点においては入射方向を正とする
yb軸：基準軸上の任意の点を通り、右手座標系の定義に従ってzb軸に対して反時計回りに90゜をなす直線であり、絶対座標系の原点で絶対座標系のY軸と一致し、以降、zb軸に対する回転はないものとする
xb軸：基準軸上の任意の点を通り、zb、yb各軸に垂直な直線。
【００２４】
次にローカル座標系を設定する。
【００２５】
z 軸：ローカル座標の原点を通る面法線
y 軸：ローカル座標の原点を通り、右手座標系の定義に従ってz方向に対し反時計方向に90゜をなす直線
x 軸：ローカル座標の原点を通り、ybzb面に対し垂直な直線
従って、各実施形態（数値実施例）において、第ｉ面のybzb面内でのチルト角はローカル座標系のz軸が基準軸上座標系のzb 軸に対して鋭角に反時計回り方向を正とした角度θxb,i （単位°）、第ｉ面のxbzb面内でのチルト角は基準軸上座標系のzb 軸に対して反時計回り方向を正とした角度θyb,i （単位°）、第ｉ面のxbyb面内でのチルト角は絶対座標系のyb軸に対して反時計回り方向を正とした角度θzb,i （単位°）で表す。ただし、通常、θzb,iは面の回転に相当するもので各実施形態においては存在しない。図５３はこれらの絶対座標系、基準軸上座標系、ローカル座標系の相互関係を表している。
【００２６】
また、各実施形態（数値実施例）において、Diは第ｉ面と第(i+1)面とのローカル座標の原点間の間隔を表すスカラー量、Ndi 、νdiは第ｉ面と第（ｉ＋１）面間の媒質の屈折率とアッベ数である。
【００２７】
ここで、球面は以下の式で表される形状である：
【００２８】
【数１】
0004086686.tif 000002
【００２９】
また、各実施形態の光学系は少なくとも回転非対称な非球面を一面以上有し、その形状は以下の式により表す：
z ＝C02y2+C20x2+C03y3+C21x2y+C04y4+C22x2y2+C40x4
+C05y5+C23x2y3+C41x4y+C06y6+C24x2y4+C42x4y2+C60x6
上記曲面式はxに関して偶数次の項のみであるため、上記曲面式により規定される曲面はyz面を対称面とする面対称な形状である。さらに以下の条件が満たされる場合はxz面に対して対称な形状を表す。
【００３０】
C03 ＝C21 ＝C05 ＝C23 ＝C41 ＝t ＝0
さらに、
C02 ＝C20  C04＝C40 ＝ C22/2    C06＝C60 ＝C24/3 =C42/3
が満たされる場合は回転対称な形状を表す。以上の条件を満たさない場合は非回転対称な形状である。
【００３１】
次に、本発明の請求項に示す通り、像面を移動させる若しくは傾けるための光学系の投射角について定義する。図５４はスクリーンと像面との位置関係を表している。Pは各実施形態の投射光学系及び投射型画像表示装置であり、Sは実際に画像表示が行われる像面であり、Eは像面Sが良好な結像性能を保ったまま移動可能な領域であり、これを投射有効領域と呼ぶ。また、投射有効領域E内での像面Sの位置を、本光学系の射出瞳SSaの中心から像面Sの中心に到達する基準軸のx及びy成分とスクリーン面の法線との成す角度で表し、投射角θx,θyとする。
【００３２】
各実施形態の投射型画像表示装置において、良好な光学性能を保ったまま投射角可変を実現するための基本的な原理を、図５０を用いて説明する。
【００３３】
図５０において、詳細は図示しないが、ＬＬは液晶、反射型ドットマトリックス液晶、デジタルマイクロミラーデバイス等を用いたライトバルブ（画像表示パネル：画像形成素子）およびライトバルブに光を照明する照明系を含む画像表示パネル系である。Ｃは結像性能を有する光学ブロックであり、Ｇのガルバノミラー（回転ミラー）により反射された後、光学ブロックＣの絞りＳＳにある射出瞳ＥＸＰを曲率中心とする球面Ｂ１上に結像する。但し、当然ながら、光学ブロックＣは球面Ｂ１上に結像する能力を有していればよいので、共軸回転対称の光学ブロックであっても曲率を持つ反射面を構成要素として含む光学ブロックであっても構わない。また、光学ブロックＣの絞りが射出瞳ＥＸＰと必ずしも一致している必要はなく、この場合、ガルバノミラーＧは射出瞳ＥＸＰの位置に配置される。
【００３４】
また、光学ブロックC（第１光学ブロック）が像を結ぶ面は必ずしも球面でなくても良く、焦点深度が許す範囲内で球面から誤差が発生していても構わない。ただ、好ましくは、ライトバルブLLに対して凹の曲面上に結像するような性能を有していることが好ましい。
【００３５】
このとき、ガルバノミラーGを紙面上で回転させると、球面B1上の像は光学性能を保ったままA1及びC1に移動する、すなわちE'上を連続的に移動することになる。
【００３６】
次に、図５０に示すように、曲率を持つ反射面を構成要素として含む光学ブロックRをガルバノミラーGの先に配置することで光学ブロックCの像を光学ブロックRに導光する。このとき、光学ブロックRは球面上の像E'をスクリーンEに良好な光学性能で結像するよう設計されている。
【００３７】
さらに、曲率を持つ反射面を構成要素として含む光学ブロックRを用いることで、Off-Axial光学系の特性により、スクリーンEに対して斜めに投射することが可能である。
【００３８】
従って、画像表示パネル系LLの像は光学ブロックC、ガルバノミラーG、光学ブロックRを介した後、スクリーンE上のB2に表示されることになる。ここで前記したようにガルバノミラーGを回転させることでE'上のA1、B1、C1の像は、それぞれ、スクリーンE上のA2、B2、C2に結像する。このため、本実施形態の投射光学系は、光学ブロックRが良好な光学性能を保証する範囲E内で任意の投射角で画像表示することが可能である。但し、パネル側の光学ブロックCの射出瞳EXPを中心に回転する部材はガルバノミラーGに限るものではなく、光学ブロックC及び画像表示パネル系LLを一体として回転させてもよいし、また像側の光学ブロックRを回転させてもよい。これらは各部材の相対的な回転であるので前記した光学ブロックを含むどの部材を回転させても光学的に等価である。
【００３９】
さらに、E'上の像B１は必ずしも球面上に結像していなくてもよい。すなわち、E'が球面を形成している必要はない。言い換えると、前記した原理から分かるように、投射角を可変にするためにはパネル側の光学ブロックCの像B1がE'上を良好な光学性能を保ったまま連続的に移動することが必要であり、それを理想的に実現するものはE'を球面とすることである。しかしながら、実際には、焦点深度やディストーション等の光学性能の許容量には幅があるので、この許容量に収まる場合には、このE'はどのような面形状でもよく、必ずしも球面である必要はない。
【００４０】
さらに、パネル側の光学ブロックCの結像に関して説明すると、本実施形態の投射光学系PがスクリーンE上で２次元的に像面Sを可変とする際には、各アジムス方向で全画角の収差の発生がそれぞれ一様であれば充分に補正されている必要はない。これは、全画角の収差の発生が一様であれば、像面側の曲率を持つ反射面を構成要素として含む光学ブロックRによって補正が可能であるからである。また、スクリーンE上で１次元的に唯一方向にのみ像面Sを可変とする際には、可変方向でのみ全画角の収差の発生が一様であれば、非可変方向の結像性能が良好である必要はない。これも、像面側の曲率を持つ反射面を構成要素として含む光学ブロックRによって補正が可能だからである。
【００４１】
また、前記した原理は紙面上のみの説明であったが、これは３次元空間においても同様である。但し、パネル側の光学ブロックCの射出瞳を中心に回転する部材がガルバノミラーのみであり、スクリーンE上で像を２次元的に移動させる際には、水平方向の回転を担うものと垂直方向の回転を担うものの計２枚のガルバノミラーG1、G2を用いると容易に実施することができる。
【００４２】
これは、図５０において、ガルバノミラーGを紙面に対して垂直な方向に回転させると、画像表示パネル系LL中の画像表示パネルとガルバノミラーGがねじれの位置関係になるために、スクリーンE上において基準軸光線は所望の位置に結像されるものの、像面SがスクリーンE上で回転してしまうためである。しかしながら、複数のガルバノミラーG1、G2をパネル側の光学ブロックCの射出瞳EXPに配置することは物理的に不可能であるため、ガルバノミラーG1、G2は厳密に射出瞳EXPに配置しなくても、E'上の像が前記したように光学性能の許容量の範囲内であれば、射出瞳EXPの近傍で互いに干渉しない程度にずらして配置することができる。本発明の各実施形態においても、複数のガルバノミラーを用いる際には、２枚のガルバノミラーを比較して回転角の大きい方を射出瞳EXPに配置し、もう一方を干渉しない程度ずれた位置に配置した。
【００４３】
また、この様にスクリーンE上で像を２次元的に移動させるためには、当然ながら、パネル側の光学ブロックCの射出瞳EXPに配置された1枚のガルバノミラーでも実施可能である。これは、前記したスクリーンE上での像Sの回転を防ぐためにパネルを像Sの回転が相殺される様に回転する等の解決手段が考えられるからである。
【００４４】
（実施形態１）
図１は本発明の実施形態１である投射光学系の鳥瞰図である。また、図２は図１においてガルバノミラーGにより折り曲げられた基準軸を展開した図である。図１において詳細は図示しないが、LLは液晶を用いたライトバルブ（画像表示パネル：画像形成素子）及び３板式のライトバルブに対応して光合成を行うダイクロイック光学素子及びライトバルブに光を照明する照明系を含む画像表示パネル系である。照明系はランプ、コンデンサーレンズ、波長を選択するフィルター等から成り立っている。
【００４５】
なお、ライトバルブは駆動回路DCに接続されており、この駆動回路DCには、コンピュータ、ＤＶＤ、ビデオ、テレビ等の画像情報供給装置ISAから画像情報が供給される。駆動回路DCは供給された画像情報に応じてライトバルブを駆動し、ライトバルブに原画を形成させる。これにより、画像形成システムが構成される（他の実施形態でも同様である）。
【００４６】
回転対称共軸レンズC、ガルバノミラーG及びOff-Axial反射面を含む反射光学系Rは、ライトバルブで光変調された光を図２のスクリーンE（投射有効領域）に導光し、スクリーンE面上に画像Sを形成するためのOff-Axial系を利用した投射光学系である。また、スクリーンEの大きさは１３００×３０２０ｍｍ、像面Sの大きさは縦横比３：４の６０インチ（９１４．４×１２１９．２ｍｍ）であり、スクリーンEの法線と基準軸の成す角度で表される補正投射角度範囲は、θx：−30.96°〜30.96°、θy：16.96°〜29.33°である。図３は、図１及び図２の投射光学ブロックC、G、Rと画像表示パネル系LLの拡大図である。
【００４７】
図３（ａ）において、LVは液晶を用いたライトバルブ（画像表示パネル）であり、LはライトバルブLVに光を照明する照明系である。LVの大きさは１０．６６８×１４．２２４ｍｍである。Dは、３板式のライトバルブに対応したダイクロイック光学素子であるが、図３では省略して単板のみの光路図を示す。CはC1〜C14の共軸回転対称球面からなる屈折光学ブロックであり、G1は絞りSSの位置に設置されたガルバノミラーである。G２は絞りSSの近傍にガルバノミラーG1と干渉しない間隔を設けて設置したガルバノミラーであり、R1〜R4はOff-Axial反射面からなる反射型光学系である。
【００４８】
図３（ｂ）は、図１、図２及び図３（ａ）の光学ブロックＣが前記のスクリーンＥ上に像Ｂ１を結像している様子を示している。射出瞳ＥＸＰ（絞りＳＳ）からスクリーンＥまでの距離は１０００ｍｍであり、像Ｂ１は射出瞳ＥＸＰを曲率中心とする球面上に結像している。以下の実施形態２〜５においても、パネル側の光学ブロックの結像の様子は、各実施形態により必要とされる結像条件が多少異なるが、原理的には同様である。
【００４９】
図４は本実施形態の投射光学系Pの特徴である、スクリーンE上での像面Sの位置を移動若しくは傾けることが可能であることを表している。S1〜S4はガルバノミラーG1及びG2を回転させることでスクリーンE上を連続的に移動する像面Sの代表的な位置を表している。
以下、本実施例に用いられる反射光学系の構成データを示す。
【００５０】
0004086686.tif 000003
0004086686.tif 000004
0004086686.tif 000005
0004086686.tif 000006
【００５１】
次に、本実施形態における光学作用を説明する。Ｌの光源から発生した光は、ライトバルブLVを照明し、ライトバルブLVに形成された像が反射光学系Rを含む投射光学系で拡大投射されスクリーンEに映し出される。
【００５２】
本実施形態の投射光学系は、スクリーンE上で像面を移動若しくは傾けることが可能であることを特徴としているが、図４で示した像面位置S1〜S4での横収差を評価するための各像面上の評価位置を図４２に示す。
【００５３】
本実施形態の投射光学系における各像面位置S1〜S4でのディストーションの様子を図５に、各像面位置S1〜S4における（１）〜（５）（図では丸囲み数字で示す。以下、同様）の評価位置（図５５参照）での横収差図を図６〜９に示す。図５から分かるように、本実施形態では、大きなディストーションはなく、非対称なディストーションも少ない。
【００５４】
図６〜９の横収差図の軸の定義は、横軸を瞳面上でのx或いはy軸とし、縦軸はスクリーンE上での収差量を意味している。これらの図より、各像面位置S1〜S4でそれぞれ良好に結像していることが分かる。
【００５５】
本実施形態では、前述したように、パネル側の光学ブロックCが球面状に光を結像させる結像性能を有している。光学ブロックCのディストーションの様子を図１０に、（１）〜（５）の評価位置での横収差図を図１１に示す。図１０から分かるように、大きなディストーションはない。また、図１１から分かるように、良好に結像している。なお、パネル側の光学ブロックCの焦点距離は８２．７４３２ｍｍである。
【００５６】
（実施形態２）
図１２は、本発明の実施形態２である投射光学系のガルバノミラーGにより折り曲げられた基準軸を展開した図である。図１２において、詳細は図示しないが、LLは液晶を用いたライトバルブ（画像表示パネル）、３板式のライトバルブに対応して光合成を行うダイクロイック光学素子及びライトバルブに光を照明する照明系からなる画像表示パネル系である。照明系はランプ、コンデンサーレンズ、波長を選択するフィルター等から成り立っている。また、Raは絞りSSよりもパネル側の光学系であり、Rbは絞りSSよりもスクリーン側の光学系であり、図１３に拡大図を示す。
【００５７】
Off-Axial反射面Ra、Rb及びガルバノミラーGはライトバルブLVで光変調された光を図１２のスクリーンE（投射有効領域）に導光し、スクリーンE面上に画像Sを形成するためのOff-Axial系を利用した投射光学系である。
【００５８】
スクリーンEの大きさは１３００×３０２０ｍｍ、像面Sの大きさは縦横比３：４の６０インチ（９１４．４×１２１９．２ｍｍ）であり、スクリーンEの法線と基準軸の成す角度で表される補正投射角度範囲は、θx：−30.96°〜30.96°、θy：16.96°〜29.33°である。
【００５９】
図１３において、LVは液晶を用いたライトバルブ（画像表示パネル）であり、LはライトバルブLVに光を照明する照明系である。ライトバルブLVの大きさは１０．６６８×１４．２２４ｍｍである。照明系はランプ、コンデンサーレンズ、波長を選択するフィルター等から成り立っている。
【００６０】
Ra1〜Ra3はOff-Axial反射面からなる反射型光学系であり、G1は絞りSSの位置に設置されたガルバノミラーであり、G２は絞りSSの近傍にG1と干渉しない間隔を設けて設置したガルバノミラーであり、Rb1〜Rb4はOff-Axial反射面からなる反射型光学系である。ライトバルブLVと第１反射面R1の間には、不図示の３板式のライトバルブに対応したダイクロイック光学素子が挿入されるが、図１３では省略して単板のみの光路図を示す。
図１４は本実施形態の投射光学系Pの特徴である、スクリーンE上での像面Sの位置を移動若しくは傾けることが可能であることを表している。S1〜S4はガルバノミラーG1及びG2を回転させることでスクリーンE上を連続的に移動する像面Sの代表的な位置を表している。
以下、本実施例に用いられる反射光学系の構成データを示す。
【００６１】
0004086686.tif 000007
0004086686.tif 000008
0004086686.tif 000009
【００６２】
次に、本実施形態における光学作用を説明する。Ｌの光源から発生した光は、ライトバルブLVを照明し、LVでの像が反射光学系Rを含む投射光学系で拡大投射されスクリーンに映し出される。
【００６３】
本発明の投射光学系はスクリーン上で像面を移動若しくは傾けることが可能であることを特徴としているが、図１４で示した像面位置S1〜S4での横収差を評価するための各像面上の評価位置を図４２に示す。
【００６４】
本実施形態の投射光学系における各像面位置S1〜S4でのディストーションの様子を図１５に、各像面位置S1〜S4における（１）〜（５）の評価位置での横収差図を図１６〜１９に示す。図１５から分かるように、大きなディストーションはなく、非対称なディストーションも少ない。図１６〜１９の横収差図の軸の定義は、横軸を瞳面上でのx或いはy軸とし、縦軸はスクリーン上での収差量を意味している。これらの図より、各像面位置S1〜S4でそれぞれ良好に結像していることが分かる。
【００６５】
また、本実施形態２では、前述したとおり、パネル側の光学ブロックRaは、各アジムス方向で全画角の収差の発生がそれぞれ一様であり、像面側の光学ブロックRbによって補正を行っている。光学ブロックRaのディストーションの様子を図２０に、図５６に示す（１）〜（１０）の評価位置での横収差図を図２１及び図２２に示す。図２０から分かるように、大きなディストーションはなく、図２１および図２２から分かるように、水平方向及び垂直方向の収差は互いに一致はしていないものの、各方向においては基準軸上と軸外で一様な収差を発生している。従って、前述した通り、像面側の光学ブロックRによってスクリーンE上で良好な像を得るように補正が可能となっている。
【００６６】
なお、パネル側の光学ブロックCの焦点距離は３６２．３０７ｍｍである。
【００６７】
（実施形態３）
図２３は本発明の実施形態３である投射光学系の構成を示している。図２３において、Off-Axial反射面RはライトバルブLVで光変調された光をスクリーンE（投射有効領域）に導光し、スクリーンE面上に画像Sを形成するためのOff-Axial系を利用した投射光学系である。
図２４は図２３の投射光学系の拡大図である。図２３において、LVは反射型ドットマトリックス液晶やデジタルマイクロミラーデバイス等を用いたライトバルブ（画像表示パネル）であり、LはライトバルブLVに光を照明する照明系である。LVの大きさは１２．１９２×１６．２５６ｍｍである。照明系はランプ、コンデンサーレンズ、波長を選択するフィルター等から成り立っている。R1〜R8はOff-Axial反射面からなる反射型光学系である。
【００６８】
また、スクリーンEの大きさは９１４．４×３０２０ｍｍ、像面Sの大きさは縦横比３：４の６０インチ（９１４．４×１２１９．２ｍｍ）であり、スクリーンEの法線と基準軸の成す角度で表される補正投射角度範囲は、θx：−30.96°〜30.96°、θy：23.43°である。
図２５は本実施形態の投射光学系Pの特徴である、スクリーンE上での像面Sの位置を移動若しくは傾けることが可能であることを表している。像面SはR5〜R8を回転させることで連続的に移動することができる。
以下、本実施形態に用いられる反射光学系の構成データを示す。
【００６９】
0004086686.tif 000010
0004086686.tif 000011
0004086686.tif 000012
【００７０】
次に、本実施形態における光学作用を説明する。Ｌの光源から発生した光は、ライトバルブLVを照明し、LVでの像が反射光学系Rを含む投射光学系で拡大投射されスクリーンEに映し出される。
【００７１】
本実施形態の投射光学系は、スクリーンE上で像面を移動若しくは傾けることが可能であることを特徴としている。図２５で示した像面位置S１、S２での横収差を評価するための各像面上の評価位置を図５５に示す。
【００７２】
本実施形態の投射光学系における各像面位置S１、S２でのディストーションの様子を図２６に、各像面位置S1〜S4における（１）〜（５）の評価位置での横収差図を図２７および図２８に示す。図２６から分かるように、大きなディストーションはなく、非対称なディストーションも少ない。図２７および図２８の横収差図の軸の定義は、横軸を瞳面上でのx或いはy軸とし、縦軸はスクリーン上での収差量を意味している。これらの図より、各像面位置S1〜S4でそれぞれ良好に結像していることが分かる。
【００７３】
また、本実施形態３では、スクリーンE上で像面Sが水平方向のみ移動可能であるので、前述したとおり、パネル側の光学ブロックR１〜R4は、水平方向の収差の纏りが良好であり、像面側の光学ブロックR5〜R８によって補正を行っている。
【００７４】
光学ブロックR1〜R4のディストーションの様子を図２９に、図５５に示す（１）〜（５）の評価位置での横収差図を図３０に示す。図２９から分かるように、大きなディストーションはなく、図３０から分かるように、垂直方向の収差は補正されていないものの、水平方向の収差においては良好に補正されている。従って、前述した通り、像面側の光学ブロックR５〜R８によってスクリーンE上で良好な像を得るように補正が可能となっている。
【００７５】
なお、パネル側の光学ブロックCの焦点距離は９７．００４４ｍｍである。
【００７６】
（実施形態４）
図３１は本発明の実施形態４である投射光学系の構成を示している。図３１において、Off-Axial反射面RはライトバルブLVで光変調された光をスクリーンE（投射有効領域）に導光し、スクリーンE面上に画像Sを形成するためのOff-Axial系を利用した投射光学系である。
図３２は図３１の投射光学系の拡大図である。図３２において、LVは反射型ドットマトリックス液晶やデジタルマイクロミラーデバイス等を用いたライトバルブ（画像表示パネル）であり、LはライトバルブLVに光を照明する照明系である。LVの大きさは１０．６６８×１４．２２４ｍｍである。照明系はランプ、コンデンサーレンズ、波長を選択するフィルター等から成り立っている。R1〜R8はOff-Axial反射面からなる反射型光学系である。
【００７７】
また、スクリーンEの大きさは９１４．４×２４３８．４ｍｍ、像面Sの大きさは縦横比３：４の６０インチ（９１４．４×１２１９．２ｍｍ）であり、スクリーンEの法線と基準軸の成す角度で表される補正投射角度範囲は、θx：−22.12°〜22.12°、θy：23.43°である。
図３３は本実施形態の投射光学系Pの特徴である、スクリーンE上での像面Sの位置を移動若しくは傾けることが可能であることを表している。像面SはR5〜R8を回転させることで連続的に移動することができる。
以下、本実施形態にて用いられる反射光学系の構成データを示す。
【００７８】
0004086686.tif 000013
0004086686.tif 000014
0004086686.tif 000015
【００７９】
次に、本実施形態における光学作用を説明する。Ｌの光源から発生した光は、ライトバルブLVを照明し、LVでの像が反射光学系Rを含む投射光学系で拡大投射されスクリーンEに映し出される。
【００８０】
本実施形態の投射光学系は、スクリーンE上で像面を移動若しくは傾けることが可能であることを特徴としている。図３３で示した像面位置S１、S２での横収差を評価するための各像面上の評価位置を図５５に示す。
【００８１】
本実施形態の投射光学系における各像面位置S１、S２でのディストーションの様子を図３４に、各像面位置S１、S２における（１）〜（５）の評価位置での横収差図を図３５および図３６に示す。図３４から分かるように、大きなディストーションはなく、非対称なディストーションも少ない。図３５および図３６の横収差図の軸の定義は、横軸を瞳面上でのx或いはy軸とし、縦軸はスクリーン上での収差量を意味している。これらの図より、各像面位置S1〜S4でそれぞれ良好に結像していることが分かる。
【００８２】
また、本実施形態４では、スクリーンE上で像面Sが水平方向のみ移動可能であるので、前述したように、パネル側の光学ブロックR１〜R4は、水平方向の収差の纏りが良好であり、像面側の光学ブロックR5〜R8によって補正を行っている。光学ブロックR1〜R4のディストーションの様子を図３７に、図５５に示す（１）〜（５）の評価位置での横収差図を図３８に示す。図３７から分かるように、大きなディストーションはなく、図３８から分かるように、垂直方向の収差は補正されていないものの、水平方向の収差においては良好に補正されている。従って、前述した通り、像面側の光学ブロックR５〜R8によってスクリーンE上で良好な像を得るように補正が可能となっている。
【００８３】
なお、パネル側の光学ブロックCの焦点距離は２４．５２５６ｍｍである。
【００８４】
（実施形態５）
図３９は本発明の実施形態５である投射光学系の鳥瞰図である。また、図４０は図３９においてガルバノミラーGにより折り曲げられた基準軸を展開した図である。図３９において、詳細は図示しないが、LLは液晶を用いたライトバルブ（画像表示パネル）、３板式のライトバルブに対応して光合成を行うダイクロイック光学素子及びライトバルブに光を照明する照明系からなる画像表示パネル系である。
【００８５】
照明系はランプ、コンデンサーレンズ、波長を選択するフィルター等から成り立っている。回転対称共軸レンズC、ガルバノミラーG及びOff-Axial反射面を含む反射光学系Rは、ライトバルブで光変調された光を図４０に示すスクリーンE（投射有効領域）に導光し、スクリーンE面上に画像Sを形成するためのOff-Axial系を利用した投射光学系である。スクリーンEの大きさは１３００×３０２０ｍｍ、像面Sの大きさは縦横比３：４の６０インチ（９１４．４×１２１９．２ｍｍ）であり、スクリーンEの法線と基準軸の成す角度で表される補正投射角度範囲は、θx：−30.96°〜30.96°、θy：16.96°〜29.33°である。
【００８６】
図４１は、図３９及び図４０の投射光学ブロックC、G、Rと、画像表示パネル系LLの拡大図である。
図４１において、LVは液晶を用いたライトバルブ（画像表示パネル）であり、LはライトバルブLVに光を照明する照明系である。LVの大きさは１０．６６８×１４．２２４ｍｍである。Dは３板式のライトバルブに対応したダイクロイック光学素子であるが、図４１では省略して単板のみの光路図を示す。
CはC1〜C14の共軸回転対称球面からなる屈折光学ブロックであり、G1は絞りSSの位置に設置されたガルバノミラーであり、G２は絞りSSの近傍にG1と干渉しない間隔を設けて設置したガルバノミラーであり、R1〜R4はOff-Axial反射面からなる反射型光学系である。
図４２は本実施形態の投射光学系Pの特徴である、スクリーンE上での像面Sの位置を移動若しくは傾けることが可能であることを表している。S1〜S4はガルバノミラーG1及びG2を回転させることでスクリーンE上を連続的に移動する像面Sの代表的な位置を表している。
以下、本実施形態にて用いられる反射光学系の構成データを示す。
【００８７】
0004086686.tif 000016
0004086686.tif 000017
0004086686.tif 000018
次に、本実施形態における光学作用を説明する。Ｌの光源から発生した光は、ライトバルブLVを照明し、LVでの像が反射光学系Rを含む投射光学系で拡大投射されスクリーンEに映し出される。
【００８８】
本実施形態の投射光学系は、スクリーンE上で像面を移動若しくは傾けることが可能であることを特徴としている。像面位置S1〜S4での横収差を評価するための各像面上の評価位置を図５５に示す。
【００８９】
本実施形態の投射光学系における各像面位置S1〜S4でのディストーションの様子を図４３に、各像面位置S1〜S4における（１）〜（５）の評価位置での横収差図を図４４〜４７に示す。図４３から分かるように、大きなディストーションはなく、非対称なディストーションも少ない。図４４〜４７の横収差図の軸の定義は、横軸を瞳面上でのx或いはy軸とし、縦軸はスクリーン上での収差量を意味している。これらの図より、各像面位置S1〜S4でそれぞれ良好に結像していることが分かる。
【００９０】
また、本実施形態では、前述したように、パネル側の光学ブロックCが球面状に光を結像させる結像性能を有している。光学ブロックCのディストーションの様子を図４８に、（１）〜（５）の評価位置での横収差図を図４９に示す。図４８から分かるように、大きなディストーションはなく、図４９から分かるように、良好に結像している。
【００９１】
なお、パネル側の光学ブロックCの焦点距離は１６２．９７８ｍｍ（３５ｍｍ判換算で３９６．６０ｍｍ）である。
以上説明したように、上記各実施形態によれば、Off-Axial反射面を利用することにより、スクリーンに対して斜めに投射することが可能となるので、投射型表示装置の設置自由度を大きく向上させることができる。また、投射光学系内の１つの部材をパネル側の光学ブロックの前記射出瞳位置を中心に回転させることにより、従来よりも遥かに広画角で、大きな投射角の仕様範囲内において任意の像位置に歪みのない像を得ることができる、投射角が可変である投射光学系および投射型画像表示装置を実現することができる。
【００９２】
以上説明した実施形態１〜５においては、図５０に示したように、ガルバノミラーを用いて画像の投射角を変えているが、本発明はこの限りではなく、反射面の角度が可変である反射部材であればどのような光学素子でも構わない。さらには、反射部材に限らず、偏向方向が可変である透過面を有する光学素子、或いは複数の光学素子の組合わせで偏向方向を可変にする光学ユニットを用いてもよい。
【００９３】
例えば、光学ブロックC（第１光学ブロック）を光学ブロックCの光軸と垂直な方向に駆動することにより、スクリーン上に投影される画像の位置を変えるようにしても構わない。
【００９４】
また、スクリーンに投影される画像の位置を２方向に（２次元的に）移動させる場合、１方向に関してはガルバノミラー等の回転ミラーを回転させることによって画像を移動し、もう１方向に関しては光学ブロックCを移動させることによって画像を移動させるようにしてもよい。このような画像の位置の２方向への移動それぞれは、ガルバノミラー等の回転ミラーを用いる方法と、光学ブロックCを移動する方法と、光学ブロックR（第２光学ブロック）を回転移動する方法と、光学ブロックCを液晶パネルごと回転移動させる方法とを任意に組み合わせても構わない。
【００９５】
ここで、ガルバノミラー等の回転ミラーを２枚用いて、スクリーン上の画像を２方向に移動させる場合、移動量が多い第１方向に画像を移動させる機能を有する第１回転ミラー、すなわち回転角度の大きい第１回転ミラーを光学ブロックCの射出瞳位置もしくはその近傍に配置する。そして、第１方向とは異なり、第１方向に比べるとスクリーン上での画像の移動量が少ない方向に画像を移動させる機能を有する第２回転ミラー、すなわち第１回転ミラーに比べて回転角度が小さい第２回転ミラーを、光学ブロックCの射出瞳からの距離が第１回転ミラーより離れた位置に配置する。これにより、回転角度の大きい回転ミラーを、より光学性能の劣化を防ぐことが容易な位置に配置することができるため、全体の光学性能の劣化を防止することができる。
【００９６】
但し、前述の第１回転ミラーと第２回転ミラーの配置はこれに限らず、光学ブロックCの射出瞳を挟んで第１回転ミラーと第２回転ミラーとが配置されるようにしてもよい。
【００９７】
また、ガルバノミラー等の回転ミラー１枚でスクリーン上の画像を２方向に移動させる場合、画像が回転するという問題点があるが、それは液晶パネル上で電気的に画像を回転させてもよい。また、液晶パネルそのものを回転させても構わない。
【００９８】
また、スクリーン上の投影画像を２次元的に動かす（投射角を２次元的に変化させる）ための方法として、上述のように２つのガルバノミラーを用いて直交する２方向への投射角を変化させる方法ある。しかしながら、図５１に示すように、偏光ビームスプリッターとガルバノミラー等の偏向方向が可変である反射部材を備えるような光学ユニットを用いると、反射部材の傾きを直交する２方向に変化させること（反射部材の傾きを直交する２方向の回転軸のまわりで、その回転の組み合わせにより変化可能な方向に変化させること）によって投射画像の向き（スクリーン面内での向き）を変えることなく２次元的に移動させることができる。
【００９９】
なお、図５１では、ミラーを実線で示す状態に対して破線で示す方向に傾けた場合のみを示しているが、勿論、実線の状態に対して破線の状態とは反対側にミラーを傾けることも可能である。
【０１００】
さらに、図５１では図の紙面内の方向にのみミラーを傾けているが、紙面の奥行き方向にミラーを傾けることも可能である。
【０１０１】
このように、投射画像の２次元的な移動が、反射面の傾きが可変な反射部材を１つ有することによって可能になるため、装置全体の小型化、簡略化を達成することができる。
【０１０２】
ここで、図５１において、画像表示素子として液晶パネルを用いた場合を考える。液晶パネルを１つのみ用いる場合（所謂、単板式の場合）、図５１に示した色選択性位相差板（色選択性位相差板とは、赤色光、緑色光、青色光のうちの特定の色光に対して９０度位相差を与えることが可能な位相差板、例えば緑色光だけ他の色光に対して９０度位相をずらすことができる）は特に必要が無く、偏向ビームスプリッター（PBS）に入射した光がPBSを透過するような偏向方向を有する光、すなわちP偏光であればよい。勿論、PBSに対するガルバノミラーの位置を変えれば、PBSに入射する光をS偏光とすることも可能である。
【０１０３】
また、本実施形態においては、回転可能なガルバノミラーを用いているが、本発明はこれに限られない。例えば、反射部材とこの反射部材を回転方向に様々な角度に駆動し、かつ固定が可能な駆動機構とを備えれば、ガルバノミラーに限らない。
【０１０４】
また、連続的に角度が可変である必要は無く、物体側の光学ブロック（第１ブロック）の光軸に対する角度が不連続な複数種類に設定可能な反射部材を用いて、スクリーン上の複数箇所に画像を投射するようにしてもよい。また、ガルバノミラーのように反射部材でなくても、屈折光学素子（又は回折光学素子）を組み合わせて、複数の方向に偏向可能な光学ユニットを形成し、ガルバノミラーの代わりに用いてもよい。
【０１０５】
次に、赤、緑、青用の３つの液晶パネルを使う場合（３板式の場合）を想定する。この３つの液晶パネルから出射したそれぞれの色の光を波長によって選択的に透過、反射するような光学素子（例えば、ダイクロイックミラーやダイクロイックプリズム）によって（色）合成する場合、予め３つの液晶パネルから出射する光の偏光方向が揃うように設定しておけば、単板式と同じように色選択性位相差板は必要無い。
【０１０６】
但し、PBS等を用いて色合成を行う場合は、色合成直後では必然的に３色の色光の偏光方向が一致しない。その場合、３色の色光が合成された後、図５１に示したPBSに入射する前に、３色の色光の偏光方向を揃える必要がある。したがって、図５１に示した例においては、画像表示パネル系LLに包含されている色合成系とPBSとの間に色選択性位相差板を配置し、この色選択性位相差板によって、特定の色光の偏光方向を９０度回転させて、３色の色光の偏光方向を揃えている。
【０１０７】
ここで、PBSの代わりにハーフミラーを配置すれば、色選択性位相差板もλ／４板も必要なくなる。
【０１０８】
また、上記実施形態１〜５においては、さらに以下のような特徴がある。例えば、上記各実施形態では、曲率を有する反射面を複数有する光学ブロックRが中間像を形成している。この光学ブロックRは、ガルバノミラー等の偏向方向が可変である反射面（もしくは回転方向に角度が可変である反射面）のスクリーン側（被投射面側）に配置されている。上記各実施形態中の投射光学系は、拡大投射系であるため、スクリーンに近づくにつれて画像光の光束が徐々に大きくなりがちであるが、光学ブロックRによって中間像を形成することによって、光学系（特に光学ブロックR）を小型化することができるという効果がある。
【０１０９】
また、この中間結像は、光学ブロックRが有する反射面のうちのスクリーン側から１枚目と２枚目との間に配置されている。このことによって、スクリーンに近づくに連れて徐々に拡がりがちな光束径を絞ることができ、スクリーンに最も近い反射面を小さくすることができるという効果がある。
【０１１０】
尚、上記各実施形態においては、光学ブロックRが有する反射面は４面であり、光源側（パネル側）から数えて３面目の反射面と４面目の反射面との間に中間像が形成されている。また、それに伴って、光学ブロックRのうち最もスクリーンに近い反射面（光学ブロックRが有する複数の反射面のうち光路上において最もスクリーンに近い反射面）を凹面反射面（正のパワーを有する反射面）としている。しかしながら、反射面の製造などの諸要因によって、中間結像を形成させない場合でも光学ブロックＲとしての本質的な役割は変わらない。
【０１１１】
また、上記実施形態１〜５においては、画像表示素子（液晶パネル等）を透過し（色合成され）た光が光学ブロックCに入射し、光学ブロックCを介した光がガルバノミラー等の偏向方向が可変である光学系に入射し、この光学系を介した光が光学ブロックRに入射し、光学ブロックRを介した光が被投射面であるスクリーンに投射されている。
【０１１２】
ここで、光学ブロックC（すなわち、画像表示素子と偏向方向が可変である光学系との間、又は色合成光学系と偏向方向が可変である光学系との間に配置された光学ブロック、光学系）の射出瞳が、光学ブロックCが有する光学素子のうち最もスクリーン側の光学素子よりもスクリーン側に形成されている。さらに、この射出瞳位置近傍にガルバノミラー等の偏光方向（偏向方向）が可変である光学系を配置し、この光学系を用いて光の偏光方向（偏向方向）を変えることにより、投射画像の画質の劣化がほとんど無く投射画像の投射位置を変化させることができる。
【０１１３】
また、上記実施形態１〜５で用いているライトバルブ（画像表示素子）LVは、照明光学系の光軸に対して垂直な平面内において、複数の画素を有している。従って、前述の投射光学系は、同時に複数の画素に照明光を照射し、複数の画素からの光を同時にスクリーン上に導いている。このライトバルブLVは、透過型又は反射型の液晶パネル（TFTや高分子分散液晶）であっても、DMD等のミラーデバイスであっても構わない。DMD等のミラーデバイスを用いるような場合は、照明光学系の光軸及び投射光学系の光軸に対して垂直な平面から傾いて配置することもある。
【０１１４】
また、実施形態中に絞りSSを有している旨の記載があるが、テレセントリックな光学系であるため、絞りが必要無い場合も考えられる。従って、光学ブロックCの射出瞳位置に絞りが必ずしもある必要は無く、実施形態における「絞り」という言葉は光学ブロックCの射出瞳という言葉と置換可能である。
【０１１５】
また、光学ブロックR（第２光学ブロック）は、必ずしも反射面を含む光学系である必要はなく、屈折レンズのみを有する屈折光学系であっても構わない。また、光学ブロックRが有する曲率のある反射面のうち最もスクリーン側の反射面、すなわち実施例中ではR4よりスクリーン側に少なくとも１つの屈折レンズを配置するように構成してもよい。
【０１５２】
【発明の効果】
以上説明したように、本発明によれば、少なくとも１つの光学素子を、実質的に第１光学ブロックの射出瞳位置で第１光学ブロックの光軸上の点を中心にして回転させることによって、物体面の像（被投射面上に投射された画像形成素子の像）を移動させたり傾けたりすることができるので、従来よりも広画角で、大きな投射角の仕様範囲内において任意の像位置に歪みのない像を得られる、投射角が可変である投射光学系およびこれを有する投射型画像表示装置を実現することができる。
【図面の簡単な説明】
【図１】本発明の実施形態１の投射光学系を用いた投射型表示装置の構成図。
【図２】上記実施形態１の投射光学系を用いた投射型表示装置の構成図。
【図３】（ａ）は上記実施形態１の投射光学系の画像表示パネル系、ダイクロイック光学素子、共軸回転対称系、ガルバノミラーおよび反射光学系Rを示す図、（ｂ）は上記実施形態１の投射光学系の画像表示パネル系、ダイクロイック光学素子、共軸回転対称系、スクリーン上の像を示す図。
【図４】上記実施形態１の投射光学系を用いた投射型画像表示装置において投射角が可変であることを示す説明図。
【図５】上記実施形態１の投射光学系のディストーションを示す説明図。
【図６】上記実施形態１の投射光学系の横収差を示す説明図。
【図７】上記実施形態１の投射光学系の横収差を示す説明図。
【図８】上記実施形態１の投射光学系の横収差を示す説明図。
【図９】上記実施形態１の投射光学系の横収差を示す説明図。
【図１０】上記実施形態１の共軸回転対称系のディストーションを示す説明図。
【図１１】上記実施形態１の共軸回転対称系の横収差を示す説明図。
【図１２】本発明の実施形態２である投射光学系を用いた投射型画像表示装置の構成図。
【図１３】上記実施形態２の投射光学系の画像表示パネル系、反射光学系、ガルバノミラーおよび反射光学系の構成図。
【図１４】上記実施形態２の投射光学系を用いた投射型画像表示装置において投射角が可変であることを示す説明図。
【図１５】上記実施形態２の投射光学系のディストーションを示す説明図。
【図１６】上記実施形態２の投射光学系の横収差を示す説明図。
【図１７】上記実施形態２の投射光学系の横収差を示す説明図。
【図１８】上記実施形態２の投射光学系の横収差を示す説明図。
【図１９】上記実施形態２の投射光学系の横収差を示す説明図。
【図２０】上記実施形態２の反射光学系のディストーションを示す説明図。
【図２１】上記実施形態２の反射光学系の横収差を示す説明図。
【図２２】上記実施形態２の反射光学系の横収差を示す説明図。
【図２３】本発明の実施形態３である投射光学系を用いた投射型画像表示装置の構成図。
【図２４】上記実施形態３の投射光学系のライトバルブおよび反射光学系の構成図。
【図２５】上記実施形態３の投射光学系を用いた投射型画像表示装置において投射角が可変であることを示す説明図。
【図２６】上記実施形態３の投射光学系のディストーションを示す説明図。
【図２７】上記実施形態３の投射光学系の横収差を示す説明図。
【図２８】上記実施形態３の投射光学系の横収差を示す説明図。
【図２９】上記実施形態３の反射光学系のディストーションを示す説明図。
【図３０】上記実施形態３の反射光学系の横収差を示す説明図。
【図３１】本発明の実施形態４である投射光学系を用いた投射型画像表示装置の構成図。
【図３２】上記実施形態４の投射光学系のライトバルブおよび反射光学系の構成図。
【図３３】上記実施形態４の投射光学系を用いた投射型表示装置において投射角が可変であることを示す説明図。
【図３４】上記実施形態４の投射光学系のディストーションを示す説明図。
【図３５】上記実施形態４の投射光学系の横収差を示す説明図。
【図３６】上記実施形態４の投射光学系の横収差を示す説明図。
【図３７】上記実施形態４の反射光学系のディストーションを示す説明図。
【図３８】上記実施形態４の反射光学系の横収差を示す説明図。
【図３９】本発明の実施形態５である投射光学系を用いた投射型画像表示装置の構成図。
【図４０】上記実施形態５の投射光学系を用いた投射型画像表示装置の構成図。
【図４１】上記実施形態５の投射光学系の画像表示パネル系、ダイクロイック光学素子、共軸回転対称系、ガルバノミラーおよび反射光学系の構成図。
【図４２】上記実施形態５の投射光学系を用いた投射型画像表示装置において投射角が可変であることを示す説明図。
【図４３】上記実施形態５の投射光学系のディストーションを示す説明図。
【図４４】上記実施形態５の投射光学系の横収差を示す説明図。
【図４５】上記実施形態５の投射光学系の横収差を示す説明図。
【図４６】上記実施形態５の投射光学系の横収差を示す説明図。
【図４７】上記実施形態５の投射光学系の横収差を示す説明図。
【図４８】上記実施形態５の共軸回転対称系のディストーションを示す説明図。
【図４９】上記実施形態５の共軸回転対称系の横収差を示す説明図。
【図５０】本発明における投射角可変の原理を示す説明図。
【図５１】上記各実施形態の変形例を説明する説明図。
【図５２】上記各実施形態における座標系の説明図。
【図５３】上記各実施形態における絶対座標系、基準軸上座標系、ローカル座標系の説明図。
【図５４】上記各実施形態における投射角の説明図。
【図５５】上記各実施形態での結像性能の評価位置を示す説明図。
【図５６】上記各実施形態での結像性能の評価位置を示す説明図。
【符号の説明】
P  投射光学系（投射型画像表示装置）
B  光学素子
LL  画像表示パネル系
L  照明系
LV  ライトバルブ（画像表示パネル）
C  共軸回転対称光学ブロック
D  ダイクロイック光学素子
G  ガルバノミラーブロック
Gi  i番目のガルバノミラー
R  曲率をもつ反射面を構成要素とする光学ブロック
Ri  i番目のOff-Axial反射自由曲面
Ra  パネル側の反射型光学ブロック
Rb  スクリーン側の反射型光学ブロック
Rai  Raを構成するOff-Axial反射自由曲面
Rbi   Rbを構成するOff-Axial反射自由曲面
E  投射有効領域（拡張スクリーン）
E'  パネル側の光学ブロックの拡張スクリーン
S  画像表示面
Si  画像表示位置
A1、B1、C1  パネル側の光学ブロックの結像面
A2、B2、C2  投射光学系の結像面
SS  絞り
SSa  投射光学系の射出瞳
EXP  パネル側の光学ブロックの射出瞳
【図１】
0004086686.tif 000019
【図２】
0004086686.tif 000020
【図３】
0004086686.tif 000021
【図４】
0004086686.tif 000022
【図５】
0004086686.tif 000023
【図６】
0004086686.tif 000024
【図７】
0004086686.tif 000025
【図８】
0004086686.tif 000026
【図９】
0004086686.tif 000027
【図１０】
0004086686.tif 000028
【図１１】
0004086686.tif 000029
【図１２】
0004086686.tif 000030
【図１３】
0004086686.tif 000031
【図１４】
0004086686.tif 000032
【図１５】
0004086686.tif 000033
【図１６】
0004086686.tif 000034
【図１７】
0004086686.tif 000035
【図１８】
0004086686.tif 000036
【図１９】
0004086686.tif 000037
【図２０】
0004086686.tif 000038
【図２１】
0004086686.tif 000039
【図２２】
0004086686.tif 000040
【図２３】
0004086686.tif 000041
【図２４】
0004086686.tif 000042
【図２５】
0004086686.tif 000043
【図２６】
0004086686.tif 000044
【図２７】
0004086686.tif 000045
【図２８】
0004086686.tif 000046
【図２９】
0004086686.tif 000047
【図３０】
0004086686.tif 000048
【図３１】
0004086686.tif 000049
【図３２】
0004086686.tif 000050
【図３３】
0004086686.tif 000051
【図３４】
0004086686.tif 000052
【図３５】
0004086686.tif 000053
【図３６】
0004086686.tif 000054
【図３７】
0004086686.tif 000055
【図３８】
0004086686.tif 000056
【図３９】
0004086686.tif 000057
【図４０】
0004086686.tif 000058
【図４１】
0004086686.tif 000059
【図４２】
0004086686.tif 000060
【図４３】
0004086686.tif 000061
【図４４】
0004086686.tif 000062
【図４５】
0004086686.tif 000063
【図４６】
0004086686.tif 000064
【図４７】
0004086686.tif 000065
【図４８】
0004086686.tif 000066
【図４９】
0004086686.tif 000067
【図５０】
0004086686.tif 000068
【図５１】
0004086686.tif 000069
【図５２】
0004086686.tif 000070
【図５３】
0004086686.tif 000071
【図５４】
0004086686.tif 000072
【図５５】
0004086686.tif 000073
【図５６】
0004086686.tif 000074